(57)【要約】  マクロセル通信リソース１２１を使って、基地局１０２と少なくとも１つの無線通信装置１０４、１０６との間で信号を送受信し、第１の無線通信装置１０４と第２の無線通信装置１０６との間に装置間（Ｄ２Ｄ）通信リンク１２２を確立する。呼、又は他の通信セッションは、Ｄ２Ｄ呼開始メッセージを上りリンクマクロセル通信リソースを介してセルラ通信システムのコアネットワークに対して送ることにより、第１の無線通信装置によって開始される。第１の無線通信装置はまた、無線通信装置間の無線Ｄ２Ｄ通信リンクに関するＤ２Ｄリンク情報を送信してもよい。コアネットワークは、Ｄ２Ｄリンク確立情報を、マクロセル下りリンク通信リソースを介して、少なくとも１つの無線通信装置に対して送り、リンク確立情報により無線通信装置がＤ２Ｄ通信リンクを介して通信し確立する。
2015520562.tif 000002
【特許請求の範囲】
【請求項１】
第１の無線通信装置と第２の無線通信装置との間の装置間（Ｄ２Ｄ）通信リンクを確立する方法であって、
マクロセル通信システムにおける無線通信装置から基地局への上りリンク伝送のための通信仕様により定義される上りリンクマクロセル通信リソースによって、一の基地局が前記第１の無線通信装置からＤ２Ｄ呼開始メッセージを受信し、
前記Ｄ２Ｄ呼開始メッセージは、前記第２の無線通信装置の装置識別子を含み、
前記マクロセル通信システムにおける基地局から無線通信装置への下りリンク伝送のための前記通信仕様で定義される下りリンクマクロセル通信リソースによって、前記一の基地局が前記第２の無線通信装置にＤ２Ｄリンク確立メッセージを送信し、
前記Ｄ２Ｄリンク確立メッセージは、前記第１の無線通信装置と前記第２の無線通信装置との間のＤ２Ｄ通信リンクを確立するための情報を含む、
方法。
【請求項２】
前記送信することは、前記第１の無線通信装置が前記第２の無線通信装置との前記Ｄ２Ｄ通信リンクを確立することを前記第２の無線通信装置に示すページングメッセージを、前記第２の無線通信装置に送信することを含む、
請求項１に記載の方法。
【請求項３】
前記送信することは、前記一の基地局と前記第２の無線通信装置との間のセルラ通信リンクを確立するセルラページングメッセージの送信にも使用されるページングチャネルによって、前記ページングメッセージを送信することを含む、
請求項２に記載の方法。
【請求項４】
前記Ｄ２Ｄリンク確立メッセージは、前記第１の無線通信装置と前記第２の無線通信装置との間のデータの伝送のためのＤ２Ｄ通信リソースを識別するＤ２Ｄリソース情報を含み、
前記Ｄ２Ｄ通信リソースは、前記マクロセル通信システムにおける基地局と無線通信装置との間の通信のための前記通信仕様で定義されるマクロセル通信リソースから選択される、
請求項１に記載の方法。
【請求項５】
前記Ｄ２Ｄリソース情報を含む他のＤ２Ｄリンク確立メッセージを前記第１の無線通信装置に送信することをさらに含む、
請求項４に記載の方法。
【請求項６】
前記Ｄ２Ｄリンク確立メッセージを送信することは、基地局から無線通信装置への制御信号伝送のための前記通信仕様で定義される物理下りリンク制御チャネル（ＰＤＣＣＨ）によって、前記Ｄ２Ｄリソース情報を送信することを含み、
他のＤ２Ｄリンク確立メッセージを送信することは、前記物理下りリンク制御チャネル（ＰＤＣＣＨ）によって、前記Ｄ２Ｄリソース情報を前記第１の無線通信装置に送信することを含む、
請求項５に記載の方法。
【請求項７】
前記Ｄ２Ｄ通信リンクによって送信されるべきデータの量を示すＤ２Ｄバッファ状態報告（ＢＳＲ）を、前記第１の無線通信装置から受信することをさらに含む、
請求項１に記載の方法。
【請求項８】
前記Ｄ２Ｄ通信リンクによるＤ２Ｄ伝送のための利用可能な送信電力を示すＤ２Ｄパワーヘッドルーム報告（ＰＨＲ）を、前記第１の無線通信装置から受信することをさらに含む、
請求項１に記載の方法。
【請求項９】
前記Ｄ２Ｄ通信リンクの少なくとも１つのチャネル特性を含むＤ２Ｄチャネル状態情報（ＣＳＩ）を、前記第１の無線通信装置から受信することをさらに含む、
請求項１に記載の方法。
【請求項１０】
前記Ｄ２Ｄ呼開始メッセージは、前記Ｄ２Ｄ通信リンクの確立がボイス・オーバー・インターネット・プロトコル（ＶｏＩＰ）呼のためであるか又はデータ転送のためであるかを示すＤ２Ｄ呼種別指示子をさらに含む、
請求項１に記載の方法。
【請求項１１】
前記Ｄ２Ｄ呼種別指示子が前記データ転送を示す場合、前記Ｄ２Ｄ呼開始メッセージは、前記Ｄ２Ｄ通信リンクによって送信されるべきデータの量を示すＤ２Ｄバッファ状態報告（ＢＳＲ）をさらに含む、
請求項１０に記載の方法。
【請求項１２】
第１の無線通信装置と第２の無線通信装置との間の装置間（Ｄ２Ｄ）通信リンクを確立する方法であって、
マクロセル通信システムにおける無線通信装置から基地局への上りリンク伝送のための通信仕様により定義される上りリンクマクロセル通信リソースによって、前記第１の無線通信装置が一の基地局にＤ２Ｄ呼開始メッセージを送信し、
前記Ｄ２Ｄ呼開始メッセージは、前記第２の無線通信装置の装置識別子を含み、
前記マクロセル通信システムにおける基地局から無線通信装置への下りリンク伝送のための前記通信仕様で定義される下りリンクマクロセル通信リソースによって、前記第２の無線通信装置が前記一の基地局からＤ２Ｄリンク確立メッセージを受信し、
前記Ｄ２Ｄリンク確立メッセージは、前記第１の無線通信装置と前記第２の無線通信装置との間のＤ２Ｄ通信リンクを確立するための情報を含む、
方法。
【請求項１３】
前記Ｄ２Ｄリンク確立メッセージは、前記第１の無線通信装置と前記第２の無線通信装置との間のデータの伝送のためのＤ２Ｄ通信リソースを識別するＤ２Ｄリソース情報を含み、
前記Ｄ２Ｄ通信リソースは、前記マクロセル通信システムにおける基地局と無線通信装置との間の通信のための前記通信仕様で定義されるマクロセル通信リソースから選択される、
請求項１２に記載の方法。
【請求項１４】
前記Ｄ２Ｄリンク確立メッセージを受信することは、基地局から無線通信装置への制御信号伝送のための前記通信仕様で定義される物理下りリンク制御チャネル（ＰＤＣＣＨ）によって、前記Ｄ２Ｄリソース情報を受信することを含む、
請求項１３に記載の方法。
【請求項１５】
前記Ｄ２Ｄ通信リンクによって送信されるべきデータの量を示すＤ２Ｄバッファ状態報告（ＢＳＲ）を、前記第１の無線通信装置から送信することをさらに含む、
請求項１２に記載の方法。
【請求項１６】
前記Ｄ２Ｄ通信リンクによるＤ２Ｄ伝送のための利用可能な送信電力を示すＤ２Ｄパワーヘッドルーム報告（ＰＨＲ）を、前記第１の無線通信装置から送信することをさらに含む、
請求項１２に記載の方法。
【請求項１７】
前記Ｄ２Ｄ通信リンクの少なくとも１つのチャネル特性を含むＤ２Ｄチャネル状態情報（ＣＳＩ）を、前記第１の無線通信装置から送信することをさらに含む、
請求項１２に記載の方法。
【請求項１８】
前記Ｄ２Ｄ呼開始メッセージは、前記Ｄ２Ｄ通信リンクの確立がボイス・オーバー・インターネット・プロトコル（ＶｏＩＰ）呼のためであるか又はデータ転送のためであるかを示すＤ２Ｄ呼種別指示子をさらに含む、
請求項１２に記載の方法。
【請求項１９】
前記Ｄ２Ｄ呼種別指示子が前記データ転送を示す場合、前記Ｄ２Ｄ呼開始メッセージは、前記Ｄ２Ｄ通信リンクによって送信されるべきデータの量を示すＤ２Ｄバッファ状態報告（ＢＳＲ）をさらに含む、
請求項１８に記載の方法。
【発明の詳細な説明】
【技術分野】
【０００１】
本発明は、概して、無線通信に関し、具体的には、マクロセル通信リソースを使った装置間（Ｄ２Ｄ）通信リソースの管理に関する。
【背景技術】
【０００２】
多くの無線通信システムは、基地局を使用して、無線通信ユーザ機器（ＵＥ）装置が配置される特定の地理的サービスエリアを提供する基地局と無線通信ＵＥ装置が通信する地理的サービスエリアを提供する。基地局は、無線通信装置と他の装置との間で通信リンクを形成するネットワーク内で接続され、場合によっては、通信リンクは、互いに近傍の無線通信ＵＥ装置間に形成される。これらの状況では、基地局を介して通信するよりも、２つの無線ＵＥ装置間で直接通信リンクを有することが好ましい場合がある。装置間のかかる直接通信は、しばしば、装置間（Ｄ２Ｄ）通信又はピアツーピア（Ｐ２Ｐ）通信と称される。
【発明の概要】
【０００３】
マクロセル通信リソースを使用して、基地局と少なくとも１つの無線通信装置との間で信号を送受信して、第１の無線通信装置と第２の無線通信装置との間に装置間（Ｄ２Ｄ）通信リンクを確立する。呼、又は他の通信セッションは、上りリンクマクロセル通信リソースを介してＤ２Ｄ呼開始メッセージをセルラ通信システムのコアネットワークに対して送ることにより、第１の無線通信装置によって開始される。第１の無線通信装置はまた、無線通信装置間の無線Ｄ２Ｄ通信リンクに関するＤ２Ｄリンク情報を送信してもよい。コアネットワークは、Ｄ２Ｄリンク確立情報を、マクロセル下りリンク通信リソースを介して、少なくとも１つの無線通信装置に対して送り、リンク確立情報により無線通信装置がＤ２Ｄ通信リンクを介して通信し確立する。
【図面の簡単な説明】
【０００４】
【図１Ａ】マクロセル通信リソースを使用して、無線通信装置間に装置間（Ｄ２Ｄ）通信リンクを確立する通信システムの一例のブロック図である。
【０００５】
【図１Ｂ】Ｄ２Ｄ通信リンクを確立するため図１Ａの通信システム内で使用されるリソースの一例のブロック図である。
【０００６】
【図２】マクロセル通信リソースを使ったＤ２Ｄ通信を管理する方法の一例のフローチャートである。
【０００７】
【図３】コアネットワークで実行されるＤ２Ｄ通信を管理する方法の一例のフローチャートである。
【０００８】
【図４】Ｄ２Ｄ通信リンクの確立を管理する一例のメッセージングタイミング図である。
【発明を実施するための形態】
【０００９】
通信システムは、基地局（ｅＮｏｄｅＢ、ｅＮＢ）と無線通信ユーザ機器装置（ＵＥ）との間の通信のために、マクロセル通信リソースを利用する。マクロセル通信リソースは、基地局から無線通信ユーザ機器（ＵＥ）装置への下りリンク通信用の下りリンク通信リソースと、ＵＥ装置から基地局への上りリンク伝送用の上りリンク通信リソースと、を含む。上りリンク通信リソースは、下りリンク通信リソースとは異なる。マクロセル通信リソースの一部は、２つのＵＥ装置間の装置間（Ｄ２Ｄ）通信に、適宜、割り当てられる。Ｄ２Ｄ通信のために割り当てられた下りリンク通信リソースは、下りリンク通信には使用されない。例えば、通信リソースが時間−周波数通信リソースの場合、Ｄ２Ｄ通信リンクに割り当てられた時間区間と周波数帯（例えば、サブキャリア）は、基地局によって使用されない。上りリンク通信リソースがＤ２Ｄ通信のために割り当てられた場合、リソースは、他のＤ２Ｄ通信、並びに隣接セル内及び同一セル内の上りリンク通信に対して、干渉が最小化されるように割り当てられる。Ｄ２Ｄ通信のためのマクロセルリソースを管理するための適当な技術の例が、国際出願第ＵＳ２０１２／０６４７１１号明細書、代理人整理番号：ＴＵＴＬ  ００２１１  ＰＣ、発明の名称：「マクロセル通信リソースを使用した装置間通信管理（ＤＥＶＩＣＥ  ＴＯ  ＤＥＶＩＣＥ  ＣＯＭＭＵＮＩＣＡＴＩＯＮ  ＭＡＮＡＧＥＭＥＮＴ  ＵＳＩＮＧ  ＭＡＣＲＯＣＥＬＬ  ＣＯＭＭＵＮＩＣＡＴＩＯＮ  ＲＥＳＯＵＲＣＥＳ）」、（出願日：２０１２年１１月１２日）において検討され、参照によりその全体が本明細書に組み込まれる。
【００１０】
本明細書内で検討される例では、基地局は、マクロセル通信リソースを使用して、無線通信装置と情報を送受信して、第１の無線通信装置と第２の無線通信装置との間に装置間（Ｄ２Ｄ）通信リンクを確立する。マクロセル通信リソースは、無線通信装置（ＵＥ）と基地局（ｅＮＢ）との間の通信のための通信仕様により定義される。
【００１１】
第１の無線通信装置は、Ｄ２Ｄ呼開始メッセージを基地局に送り、Ｄ２Ｄ通信リンクを開始し、Ｄ２Ｄ呼開始メッセージは、第２の無線通信装置とのＤ２Ｄ通信を確立するように要求する。メッセージは、電話番号又はその他の特有の値又は文字列などの装置識別子を使って、第２の無線通信装置を識別することができる。基地局は、第２の無線通信装置をページングする。第２の無線通信装置から肯定応答を受信した後、基地局は、第１の無線通信装置に対して返答を送る。第１の無線通信装置は、バッファ状態報告（ＢＳＲ）、パワーヘッドルーム報告（ＰＨＲ）、及び第１の無線通信装置と第２の無線通信装置との間のＤ２Ｄ通信リンクに関するチャネル状態情報（ＣＳＩ）などのパラメータを含んでもよいＤ２Ｄリンク情報で応答する。基地局は、Ｄ２Ｄ通信リンクに通信リソースを割り当て（スケジューリングし）、リソースを識別するリンク確立メッセージを無線通信装置に送り、割り当てられたＤ２Ｄリソースを装置に通知する。基地局はまた、場合によっては、第１の無線通信装置からＤ２Ｄリンク情報を受信してもよいが、代替案として、通信チャネルの特性の相互依存性に依存することと、第１の無線通信装置から受信したＤ２Ｄリンク情報を使用して、第２の無線通信装置から送信するためのＤ２Ｄ通信リソースをスケジューリングすることと、が挙げられる。本明細書に記載される例では、基地局（ｅＮＢ）と無線通信装置（ＵＥ）との間のＤ２Ｄシグナリングは、従来のマクロセル通信用のマクロセルシグナリングには影響を及ぼさない。したがって、無線通信装置は、Ｄ２Ｄ及びマクロセル通信リンクを同時に維持することが可能である。
【００１２】
図１Ａ及び図１Ｂは、無線通信装置との通信のためにマクロセル通信リソースが使用され、無線通信装置間の装置間（Ｄ２Ｄ）通信リンク１０１が確立される、通信システム１００の一例のブロック図である。マクロセル通信リソースとＤ２Ｄ通信リンクとの関係は、図１Ａに示される。図１Ｂでは、Ｄ２Ｄ通信リンクを確立するためのリソースが示される。基地局１０２は、しばしば「セル」と称される地理的サービスエリア内の無線通信ユーザ機器（ＵＥ）装置１０４、１０６に対して無線通信サービスを提供する。複数の基地局は、典型的には、バックホールを介して相互に接続され、広域をカバーするために複数のサービスエリアを提供する。通信システム１００を参照して説明されるブロックの様々な機能及び動作は、任意の数の装置、回路、又は要素で実施されてもよい。２つ以上の機能ブロックが１つの装置に統合されてもよく、任意の装置において実行されるように記載される機能は、複数の装置に亘って実施されてもよい。例えば、制御部１０８の機能の少なくとも一部は、無線通信装置１０４、１０６によって実行されてもよく、その逆であってもよい。セルラ通信システムは、典型的には、通信規格又は仕様に従う必要がある。第３世代パートナシッププロジェクト・ロング・ターム・エボリューション（３ＧＰＰ  ＬＴＥ）通信仕様は、下りリンクに対する直交周波数分割多重方式（ＯＦＤＭ）及び上りリンクに対するシングルキャリア周波数分割多元接続方式（ＳＣ−ＦＤＭＡ）を使用して、基地局（ｅＮｏｄｅＢ）がサービスを無線通信装置（ユーザ機器（ＵＥ）装置）に提供するシステムのための仕様である。本明細書に記載される技術は、他のタイプの通信システムに適用可能ではあるが、本明細書で検討される例示的なシステムは、３ＧＰＰ  ＬＴＥ通信仕様に従って作動する。
【００１３】
基地局１０２は、しばしばｅＮｏｄｅＢ又はｅＮＢと称される固定型の送受信局であり、場合によっては、制御部を含んでもよい。基地局１０２は、有線通信、光通信、及び／又は無線通信チャネルの任意の組み合わせを含んでもよいバックホール１０を介して、制御部１０８に接続される。本明細書の例では、制御部１０８は、３ＧＰＰ  ＬＴＥ通信システムの、モビリィティ管理エンティティ（ＭＭＥ）及びパケットゲートウエイ（Ｐ−ＧＷ）の機能性を含む。したがって、制御部１０８は、スケジューラ１１２を含む。本例では、スケジューラ１１２は、無線通信装置１０４、１０６間のＤ２Ｄ通信用及び基地局１０２と無線通信装置１０４、１０６との間のマクロセル通信用の時間−周波数リソースを割り当てる。
【００１４】
無線（ＵＥ）通信装置１０４、１０６は、モバイル装置、無線装置、無線通信装置、モバイル無線装置、ＵＥ、ＵＥ装置、及びそれ以外の名称で称される。無線通信ＵＥ装置１０４、１０６は、Ｄ２Ｄ構成において、基地局及び他の無線通信装置と通信するための電子部品及びコードを含む。無線通信装置は、携帯電話、パーソナルデジタルアシスタント（ＰＤＡ）、無線モデムカード、無線モデム、無線通信用電子部品を有するテレビ、ラップトップ及びデスクトップ型のコンピュータ、並びに他の装置などの装置を含む。無線通信電子部品を電子装置に組み合わせることにより、無線通信装置１０４が形成されてもよい。例えば、無線通信装置は、機器、コンピュータ、又はテレビに接続された無線モデムを含んでもよい。
【００１５】
基地局１０２は、無線信号１１４、１１６、１１８、１２０を無線通信装置１０４、１０６と送受信する無線送受信機を含む。基地局及び無線通信装置１０４、１０６からの送信は、送信のシグナリング、プロトコル、及びパラメータを定義する通信仕様により定められる。通信仕様は、通信用の厳格なルールを提供してもよく、具体的な実施は異なるが通信仕様には従う一般的な要件を提供してもよい。以下の検討は、３ＧＰＰロング・ターム・エボリューション（ＬＴＥ）の通信仕様に関するが、場合によっては、他の通信仕様が使用されてもよい。通信仕様では、少なくとも、上りリンク及び下りリンク伝送用のデータチャネル及び制御チャネルが定義され、かつ少なくとも、基地局から無線通信装置への物理下りリンク制御チャネル用の幾つかのタイミング及び周波数パラメータが特定される。
【００１６】
マクロセル通信リソース１２１が使用され、下りリンク信号１１４、１１６及び上りリンク信号１１８、１２０が送信される。基地局１０２は、通信仕様により定義され、下りリンク通信のために保持された定義された下りリンク通信リソースのスケジューリングされた下りリンク通信リソースを使って、下りリンク信号１１４、１１６を無線通信装置１０４、１０６に送信する。無線通信装置は、通信仕様により定義され、上りリンク通信用に保持された定義された上りリンク通信リソースのスケジューリングされた上りリンク通信リソースを使って、上りリンク信号１１８、１２０を基地局に送信する。マクロセル通信リソース１２１は、各時間に分割された周波数帯を含み、各周波数帯及び時間区間は、スケジューラ１１２により識別され、かつ基地局１０２から無線通信装置１０４、１０６に送られた制御信号に記載される。したがって、通信仕様又は他のシステムのルールは、下りリンク用の適用可能な通信リソース及び上りリンク用の適用可能な通信リソースを定義する。スケジューラ１１２は、異なる時間−周波数リソースを異なる装置に割り当て、干渉を最小化する一方、リソースを効率的に利用する。したがって、１つの無線通信装置１０４と送受信する信号１１４、１１８のために使用されるスケジューリングされたマクロセル通信リソースは、他の通信装置１０６と送受信される他の信号１１６、１２０のために使用されるスケジューリングされたマクロセル通信リソースとは異なる。したがって、本明細書で参照されるように、マクロセル通信リソース１２１は、仕様書及び／又は通信システムルールにより通信のために保持される通信リソースである。しかし、特定の信号を送信するためのスケジューリングされたリソースは、保持されたマクロセル通信リソース１２１の一部である。
【００１７】
定義されたマクロセル通信リソースの一部は、Ｄ２Ｄ通信のために割り当てられる（スケジューリングされる）。Ｄ２Ｄ通信リソース１２２と称される、定義されたマクロセル通信リソース１２１の本部分（１２２）は、典型的には、適宜、動的に、かつチャネルの条件並びに他の基準に基づいて、スケジューリングされる。したがって、スケジューラ１１２は、定義されたマクロセル下りリンク通信リソース及び定義されたマクロセル上りリンク通信リソース、又はＤ２Ｄ通信用のその両方のいずれかを割り当ててもよい。
【００１８】
ある状況では、基地局を介さずに、無線通信装置がＤ２Ｄ通信リンクを介して直接通信することが好ましい。Ｄ２Ｄ通信中、第１の無線通信装置１０４は、第１のＤ２Ｄ信号１２４を第２の無線通信装置１０６に送信し、第２の無線通信装置１０６は、第２のＤ２Ｄ信号１２６を第１の無線通信装置１０４に送信する。幾つかの状況では、Ｄ２Ｄ送信は、１方向のみでもよい。例えば、Ｄ２Ｄリンクは、ラップトップからディスプレイまで確立されてもよく、この場合、ラップトップだけがブロードキャスト、ストリーミング、及び他の目的のためにディスプレイに対して信号を送信する。
【００１９】
効率的なＤ２Ｄ通信のために、無線通信装置は、典型的には、互いに近接しなければならない。多数の無線通信装置が移動型であるので、任意の２つの装置間の距離は変化する。その結果、ネットワーク又は無線通信装置の１つのいずれかは、無線通信装置がＤ２Ｄ通信のために十分近いかどうかを判別しなければならない。本明細書の例では、無線通信装置が一方の無線通信装置から送信された参照信号を受信することにより、他方の近傍の無線通信装置を検出する。検出後、無線通信装置は、以下に更に詳細に述べるように、Ｄ２Ｄ通信リンク１０１を開始することを試みることができる。
【００２０】
スケジューラ１１２は、基地局１０２と無線通信装置１０４、１０６との間の通信のための時間−周波数リソースを割り当てる。更に、制御部１０８、スケジューラ１１２、及び／又は基地局１０２は、上りリンクに関するサウンディング参照信号（ＳＲＳ）をスケジューリングする。本明細書内で検討される例では、スケジューラ１１２は、また、無線通信ＵＥ装置１０４、１０６からのＤ２Ｄ  ＳＲＳの送信のための時間−周波数リソースを割り当て（スケジューリングし）、装置間（Ｄ２Ｄ）通信リンク１０１を確立及び／又は維持する。Ｄ２Ｄ  ＳＲＳ送信は、装置検出／発見、信号取得（受信）、チャネル推定、及びＣＳＩ判定のために使用される。このような技術の例が、２０１２年１１月１２日に出願された、国際出願第ＵＳ２０１２  ６４７１２号明細書、整理番号ＴＵＴＬ  ００２１２  ＰＣに記載されており、参照によりその全体が本明細書に組み込まれる。したがって、本明細書の例では、無線通信装置は、Ｄ２Ｄ  ＳＲＳ信号を送受信することにより、近傍の他の無線通信装置を検出／発見する。
【００２１】
上記のように、１つの無線通信装置が別の無線通信装置を認識し、別の無線通信装置との通信を意図する場合、ネットワークを介するよりもＤ２Ｄ通信リンクを介して通信する方がより効率的である場合がある。干渉を防ぐため、Ｄ２Ｄ通信リンク１０１のために使用される通信リソースは、割り当て又はスケジューリングされなければならない。無線通信装置は、通信リソースを自律的に追跡及び割り当てることが可能であるが、ネットワーク内の更に集中型の制御部なら、より簡単にスケジューリングを管理することが可能であり、無線通信装置での処理を削減できる。
【００２２】
図１Ｂを参照して、通信システム１００は、基地局から無線通信ユーザ機器（ＵＥ）装置への下りリンク通信のために下りリンク通信リソース１２８を利用し、上りリンク伝送のためにＵＥ装置から基地局への上りリンク通信リソース１３０を利用する。上りリンク通信リソースは、下りリンク通信リソースとは異なる。特定の実施に基づいて、下りリンク通信リソース１２８の一部、上りリンク通信リソース１３０の一部、又はその両方の一部は、ＵＥ装置から装置間（Ｄ２Ｄ）送信のために、適宜、割り当てられる。したがって、Ｄ２Ｄ信号１２４、１２６は、スケジューラ１１２により割り当てられた下りリンク通信リソース１２８又は上りリンク通信リソース１３０を使用してもよい。Ｄ２Ｄ通信のために割り当てられた通信リソース１２２は、下りリンク通信のためには使用されない。例えば、通信リソースが時間−周波数通信リソースの場合、基地局は、Ｄ２Ｄ送信のために割り当てられた時間区分及び周波数帯を非Ｄ２ＤＵＥ装置に供給するために使用しない。上りリンク通信リソースがＤ２Ｄ通信のために割り当てられた場合、これらのリソースの他の装置へのスケジューリングは、干渉を最小化するために管理される。
【００２３】
ＵＥ装置は、割り当てられた通信リソース１２２を使用してＤ２Ｄ信号１２４、１２６を送信する。本明細書にて検討されるように、定義された下りリンク通信リソースは、基地局から無線通信装置への下りリンク通信のために保持された通信リソースとして、通信仕様により定義された通信リソースである。スケジューリングされた下りリンク通信リソースは、基地局と無線通信装置との間の下りリンク通信のために割り当てられた（スケジューリングされた）、定義された下りリンク通信リソースの一部であり、Ｄ２Ｄ通信リソース１２２は、下りリンク通信リソースがＤ２Ｄ通信のために使用される場合、無線通信装置からＤ２Ｄ送信のために割り当てられた（スケジューリングされた）、定義された下りリンク通信リソースの一部である。
【００２４】
本明細書にて検討されるように、定義された上りリンク通信リソースは、無線通信装置から基地局への上りリンク通信のために保持された通信リソースとして、通信仕様により定義された通信リソースである。スケジューリングされた下りリンク通信リソースは、無線通信装置と基地局との間の上りリンク通信のために割り当てられた（スケジューリングされた）、定義された上りリンク通信リソースの一部であり、Ｄ２Ｄ通信リソース１２２は、上りリンク用リソースがＤ２Ｄ通信のために使用される場合、無線通信装置からＤ２Ｄ送信のために割り当てられた（スケジューリングされた）、定義された上りリンク通信リソースの一部である。したがって、定義されたマクロセル通信リソース１２１は、定義されたマクロセル下りリンク通信リソース１２８及び定義されたマクロセル上りリンク通信リソース１３０を含み、定義されたリソースの一方又は両方の一部はＤ２Ｄ通信のために割り当てられる。
【００２５】
通信ネットワークは、マクロセル通信リソースを介して、情報を送受信することによりＤ２Ｄ通信リンクを管理する。本明細書で検討される例に従って、無線通信装置は、マクロセル上りリンク通信リソースを使用して、Ｄ２Ｄリンク情報１３２を基地局に対して送信し、基地局は、マクロセル下りリンク通信リソースを使用して、Ｄ２Ｄリンク確立メッセージ１３４を無線通信装置に送信する。Ｄ２Ｄ呼／セッションは、マクロセル上りリンク通信リソースを使用して、Ｄ２Ｄ呼開始メッセージ１３６を送ることにより無線通信装置により開始することができる。Ｄ２Ｄ呼開始メッセージは、Ｄ２Ｄ通信リンクの確立がボイス・オーバー・インターネット・プロトコル（ＶｏＩＰ）呼のためであるか又はデータ転送のためであるかを示すＤ２Ｄ呼種別指示子を更に含んでもよい。Ｄ２Ｄ呼種別指示子がデータ転送を示す場合、Ｄ２Ｄ呼開始メッセージは、Ｄ２Ｄ通信リンクによって送信されるデータの量を示すＤ２Ｄバッファ状態報告（ＢＳＲ）を更に含む。
【００２６】
１つのシナリオでは、第１の無線通信装置１０４は、呼／セッション開始メッセージ１３８を基地局１０２に送信する。以下で更に詳細に検討するように、第１の無線通信装置は、基地局に応答して、Ｄ２Ｄリンク情報１３２を基地局に送信する。Ｄ２Ｄリンク情報１３２は、第１の無線通信装置と第２の無線通信装置との間の通信リンクに関する基地局情報を提供する、任意のパラメータ又は指示子を含んでもよい。Ｄ２Ｄリンク情報１３２は、チャネルの品質、Ｄ２Ｄリンクによって送信されるデータの量、送信電力、及び他の情報を説明するパラメータを含んでもよい。本明細書の例では、Ｄ２Ｄリンク情報は、Ｄ２Ｄ通信リンクによって送信されるデータの量を示すＤ２Ｄバッファ状態報告（ＢＳＲ）、Ｄ２Ｄ通信リンクを介したＤ２Ｄ送信用の利用可能送信電力を示すＤ２Ｄパワーヘッドルーム報告（ＰＨＲ）、及びＤ２Ｄ通信リンクのチャネルの少なくとも１つの特性を含むＤ２Ｄチャネル状態情報（ＣＳＩ）を含んでもよい。
【００２７】
基地局は、Ｄ２Ｄリンク確立情報１３４を無線通信装置のうち少なくとも１つに送る。Ｄ２Ｄリンク確立情報は、無線通信装置にＤ２Ｄ通信リンクを介して通信させる情報を含み、Ｄ２Ｄ通信リンクのために使用される時間−周波数通信リソースのためのスケジューリング情報を含んでもよい。Ｄ２Ｄリンク確立情報は、マクロセル下りリンク通信リソースを使用して、無線通信装置に対して送信される。以下で検討されるように、Ｄ２Ｄリンク確立情報１３４を送るための適当な技術の例として、物理下りリンク制御チャネル（ＰＤＣＣＨ）を介して情報を送ることが挙げられる。かかるＰＤＣＣＨは、識別された通信リソースが従来のマクロセル通信に代わってＤ２Ｄ通信に割り当てられる点以外、マクロセル通信用の通信リソースを割り当てる従来のＰＤＣＣＨ送信と同様である。
【００２８】
したがって、例として、制御部１０８内のスケジューラ１１２は、Ｄ２Ｄリンク確立情報１３４を提供することにより、Ｄ２Ｄ時間−周波数リソース１２２を無線通信装置１０４、１０６に割り当てる。情報１３４は、ＰＤＣＣＨを使用して、基地局により送信されるが、情報は、任意の数の制御信号及び／又はメッセージを使用して送信されてもよい。
【００２９】
図１Ｂの例として、Ｄ２Ｄリンク情報１３２は、両方の無線通信装置により送信され、Ｄ２Ｄリンク確立情報は、基地局１０２により両方の装置に送信される。しかし、上記のように、Ｄ２Ｄリンク情報は、場合によっては、装置のうち１つだけにより送信されてもよい。また、リンク確立情報は、基地局により装置のうち１つだけに対して送信されてもよい。
【００３０】
図２は、マクロセル通信リソースを使ったＤ２Ｄ通信を管理する方法の一例のフローチャートである。本方法は、第１の無線通信装置１０４などの無線通信装置内で実行される。
【００３１】
ステップ２０２では、別の無線通信装置が発見される。本明細書で検討される例として、各無線通信装置は、他の無線通信装置により使用される参照信号を周期的に送信し、無線通信装置を検出及び識別する。適当な技術の例が、上記参照された、国際出願第ＵＳ２０１２／８４７１２号明細書に記載されている。したがって、第１の無線通信装置は、第２の無線通信装置からの参照信号を受信し、第２の無線通信装置を識別し、第１及び第２の無線通信装置間のＤ２Ｄリンクが確立されるべきだと判別する。
【００３２】
ステップ２０４では、第１の無線通信が基地局に接続されているかどうかを判別する。無線通信装置は、基地局を介したアクティブなデータセッション（データ通信又は音声呼）に従事しているかどうかを判別し、接続されている場合、本方法は、ステップ２０８にとどまる。接続されていない場合、無線通信装置は、ステップ２０６でランダムアクセスチャネル（ＲＡＣＨ）プロセスを使用し、接続を確立し、Ｄ２Ｄ呼を開始する。無線通信装置は、ランダムアクセスチャネル（ＲＡＣＨ）要求を送信することにより、基地局との接続を開始する。ＲＡ応答は、基地局により送信され、無線通信装置により受信される。本明細書の例では、ＲＡＣＨプロセスは、既知の技術に従って実行される。ＲＡＣＨ要求及び応答は、基地局への上りリンクチャネルを確立する。本明細書の例では、無線通信装置が、Ｄ２Ｄ通信に従事する間、上りリンクチャネルが維持される。ＲＡＣＨプロセスが完了後、本方法は、ステップ２１０に進み、無線通信装置がＤ２Ｄ通信を開始するための要求を送る。Ｄ２Ｄ呼開始メッセージ１３６は、基地局に送信され、無線通信装置が第２の無線通信装置とのＤ２Ｄ呼を開始していることを示す。
【００３３】
ステップ２０８では、無線通信装置が基地局によって有効なスケジューリング許可が割り当てられたかどうかを判別する。無線通信装置は、上りリンク共有チャネルリソースが許可されたかどうかを判別する。無線通信装置が基地局へ送信するための無線通信リソースが割り当てられた場合、本方法はステップ２１０でとどまる。又は、本方法はステップ２１２に進む。
【００３４】
ステップ２１０では、無線通信装置は、基地局に要求を送り、割り当てられたリソースを使用してＤ２Ｄ通信セッションを開始する。第１の無線通信装置は、上りリンク共有チャネル（ＵＬ−ＳＣＨ）トランスポートレイヤを使用して、物理上りリンク共有チャネル（ＰＵＳＣＨ）を介して、Ｄ２Ｄ呼開始メッセージを送信する。本明細書の例では、Ｄ２Ｄ呼開始メッセージ１３６は、コード化されたＵＬ−ＳＣＨデータと時間多重され、ＰＵＳＣＨを介して基地局に配信される。
【００３５】
ステップ２１２では、無線通信装置は、基地局に要求を送り、物理上りリンク制御チャネル（ＰＵＣＣＨ）を介したＤ２Ｄ通信セッションを開始する。第１の無線通信装置は、ＰＵＣＣＨを使用して、Ｄ２Ｄ呼開始メッセージ１３６を送信する。
【００３６】
ステップ２１４では、第２の無線通信装置（ＵＥ２）がページングされ、Ｄ２Ｄプロセスが開始されたことを示す肯定応答が基地局（ｅＮＢ）から受信される。
【００３７】
ステップ２１６では、無線通信装置は、Ｄ２Ｄリンク情報を基地局に送る。基地局の返答に応答して、第１の無線通信装置は、Ｄ２Ｄ通信リンクによって送信されるデータの量を示すＤ２Ｄバッファ状態報告（ＢＳＲ）、Ｄ２Ｄ通信リンクを介したＤ２Ｄ送信用の利用可能な送信電力を示すＤ２Ｄパワーヘッドルーム報告（ＰＨＲ）、及びＤ２Ｄ通信リンクのチャネルの少なくとも１つの特性を含むＤ２Ｄチャネル状態情報（ＣＳＩ）を含んでもよいＤ２Ｄリンク情報を送信する。Ｄ２Ｄ音声呼が開始されている幾つかの状況では、ＢＳＲは省略されてもよい。これらの状況でのＤ２Ｄリンク情報は、また、Ｄ２Ｄコールが音声呼であることを示す指示子を含んでもよい。Ｄ２Ｄリンク情報のチャネル特性は、典型的には、第２の無線通信装置が周期的に送信する参照信号を評価することにより、無線通信装置により維持される。Ｄ２Ｄリンク情報は、マクロセル上りリンク通信リソースを使用して、基地局に送信される。例として、Ｄ２Ｄリンク情報は、基地局と第１の無線通信装置１０４との間のマクロセル通信リンクのためのマクロセルＣＳＩ情報とともに送信される。Ｄ２Ｄリンク情報の送信は、従来のマクロセル通信のＢＳＲ、ＣＳＩ、及びＰＨＲの送信と同様である。しかしながら、Ｄ２Ｄリンク情報の送信はまた、情報がＤ２Ｄ通信リンクに関連していることを示す。したがって、Ｄ２Ｄリンク情報は、マクロセルリンク情報とともに、ＰＵＳＣＨ又はＰＵＣＣＨ上で送信されてもよい。本明細書の例では、無線通信装置は、Ｄ２Ｄ通信に従事する一方、マクロセル接続を維持し、Ｄ２Ｄリンク情報並びにマクロセルチャネルのチャネル特性を提供する。
【００３８】
ステップ２１８では、Ｄ２Ｄリンク確立情報が基地局から受信される。本例では、リンク確立情報は、物理下りリンク制御チャネル（ＰＤＣＣＨ）を介して送信される。したがって、リンク確立情報は、マクロセル下りリンク通信リソースを使用して、無線通信装置により受信される。Ｄ２Ｄリンク確立情報は、Ｄ２Ｄ通信リンクを介して無線通信装置に通信をさせる情報を提供し、本例では、Ｄ２Ｄリンク確立情報は、第１の無線通信装置から第２の無線通信装置にＤ２Ｄ信号を送信するために使用される定義されたマクロセル通信リソースの一部を識別する。更に、Ｄ２Ｄリンク確立情報は、Ｄ２Ｄ送信のためのトランスポートフォーマットセレクション（Ｔｒａｎｓｐｏｒｔ  Ｆｏｒｍａｔ  Ｓｅｌｅｃｔｉｏｎ）及びポワーコントロール（Ｐｏｗｅｒ  Ｃｏｎｔｒｏｌ）コマンドを含む。場合によっては、第１の無線通信装置はまた、送信に関するＤ２Ｄリンク確立情報を第２の無線通信装置から受信してもよい。
【００３９】
ステップ２２０では、第１の無線通信装置は、Ｄ２Ｄ通信リンクを介してＤ２Ｄデータを第２の無線通信装置に送る。Ｄ２Ｄリンク確立情報において提供されたパラメータを使用して、第１の無線通信装置は、Ｄ２Ｄデータを第２の無線通信装置に送信する。
【００４０】
ステップ２２２では、第１の無線通信装置は、Ｄ２Ｄデータが受信された旨の肯定応答（ＡＣＫ）を第２の無線通信装置から受信する。
【００４１】
図３は、コアネットワークで実行されるＤ２Ｄ通信を管理する方法のフローチャートである。本方法は、コアネットワーク内のハードウエア及びコードの任意の組み合わせによって実行されてもよい。それらのステップの一部又は全部は、基地局、制御部、又はコアネットワーク内の他のエンティティにより自主的に実行されてもよく、同時に、機能の一部又は全部は、コアネットワーク内の複数のエンティティの協働により実行されてもよい。図３の例では、第１の無線通信装置は、Ｄ２Ｄ呼が開始された時には、基地局には登録されていない。
【００４２】
ステップ３０２では、ＲＡＣＨが第１の無線通信装置から受信される。本明細書の例では、ＲＡＣＨは、従来の技術に従って、フォーマット及び送信される。
【００４３】
ステップ３０３では、ＲＡ応答メッセージが第１の無線通信装置に送られる。基地局は、物理下りリンク制御チャネル（ＰＤＣＣＨ）でＲＡ応答メッセージを送る。ＲＡ応答メッセージは、典型的には、少なくともＲＡ−プレアンブル識別子、タイミング調整情報、初期ＵＬグラント（initial UL grant）、及び仮Ｃ−ＲＮＴの割り当てを伝達する。
【００４４】
ステップ３０４では、Ｄ２Ｄ呼を開始するための要求が第１の無線通信装置から受信される。Ｄ２Ｄ呼開始メッセージが第１の無線通信装置から受信されるが、該Ｄ２Ｄ呼開始メッセージは、第１の無線通信装置が第２の無線通信装置とのＤ２Ｄ呼を開始していることを示す。したがって、本例では、Ｄ２Ｄ呼開始メッセージは、第２の無線通信装置を識別する。
【００４５】
ステップ３０６では、ページが第２の無線通信装置に送られる。基地局は、既知の技術に従って、ページングメッセージを送信する。しかし、本明細書の例では、ページは、第１の無線通信装置を識別することに加えて、本ページがＤ２Ｄ呼用であることを示す。
【００４６】
ステップ３０８では、ページング応答が第２の無線通信装置から受信される。ＵＥは、既知の技術に従ってＡＣＫを送ることによりページを確認する。
【００４７】
ステップ３１０では、Ｄ２Ｄ開始ＡＣＫが第１の無線通信装置に伝送される。例としては、基地局は、ＡＣＫを物理下りリンク制御チャネル（ＰＤＣＣＨ）で送る。
【００４８】
ステップ３１２では、Ｄ２Ｄリンク情報が第１の無線通信装置から受信される。以上説明したように、Ｄ２Ｄリンク情報は、Ｄ２Ｄ通信リンクを介して送信されるデータの量を示すＤ２Ｄバッファ状態報告（ＢＳＲ）、Ｄ２Ｄ通信リンクを介したＤ２Ｄ送信用の利用可能送信電力を示すＤ２Ｄパワーヘッドルーム報告（ＰＨＲ）、及びＤ２Ｄ通信リンクのチャネルの少なくとも１つの特性を含むＤ２Ｄチャネル状態情報（ＣＳＩ）を含んでもよい。Ｄ２Ｄリンク情報は、ＰＵＣＣＨ及びＰＵＳＣＨなどのマクロセル上りリンク通信リソースで受信される。
【００４９】
ステップ３１４では、Ｄ２Ｄ通信リソースがスケジューリングされる。Ｄ２Ｄリンク情報及び可能であれば他の要因に基づいて、スケジューラは、Ｄ２Ｄ通信に対して使用される適当な定義済みのマクロセル通信リソースを判別し、Ｄ２Ｄ通信用のこれらのＤ２Ｄ通信リソースをステップ３１４で割り当てる。
【００５０】
ステップ３１６では、Ｄ２Ｄリンク確立情報が送られる。基地局は、マクロセル通信リソースを介して、Ｄ２Ｄリンク確立情報を第１の無線通信装置に送る。上記のように、本例では、情報はＰＤＣＣＨで送られる。
【００５１】
図４は、Ｄ２Ｄ通信リンク１０１の確立を管理する一例のメッセージングタイミング図である。図４のイベント及び送信は、どのシステム及び通信仕様に基づくかによって、様々な方法で実施されてもよい。
【００５２】
イベント４０２では、参照信号が第２の無線通信装置から伝送される。参照信号は、イベント４０４で、第１の無線通信装置から送信される。例として、参照信号は、無線通信装置により定期的に送信されるサウンディング参照信号（ＳＲＳ）である。
【００５３】
従来のシステムでは、無線通信装置は、サウンディング参照信号（ＳＲＳ）を基地局に送信し、基地局に上りリンクチャネルを評価させていた。参照信号により、発見、取得、復調、時間調整が可能になる。例えば、基地局により送信される下りリンク参照信号は、近傍の基地局を検出（発見）するためにＵＥ装置によって使用される。参照信号を評価することにより、チャネル推定も可能になり、無線通信装置は、基地局により送信された下りリンク信号を取得及び受信することができるようになる。時間遅延は、信号の送信時間に対する、受信した参照信号のタイミングを観察することにより判別できる。
【００５４】
参照された国際出願第ＵＳ２０１２／６４７１２号明細書に更に詳細に記載されるように、ＳＲＳ信号は、また、チャネル推定及びＤ２Ｄ装置間の装置検出に使用される。本明細書に記載される例としては、Ｄ２Ｄサウンディング参照信号（ＳＲＳ）は、装置間（Ｄ２Ｄ）通信リンクを介して、通信中又は通信している可能性があるＵＥ装置間で送信される。基地局は、制御情報をＵＥ装置に送信し、Ｄ２Ｄ  ＳＲＳ送信に使用されるべきマクロセル通信リソースを識別する。Ｄ２Ｄ  ＳＲＳ信号は、チャネル推定、チャネル状態情報の判別、装置発見、信号取得、及び時間調整に使用することができる。Ｄ２Ｄ  ＳＲＳ送信は、また、関連するデータシンボルの復調の援助も可能である。
【００５５】
以下に更に詳細に検討するように、無線通信ＵＥ装置は、別のＵＥ装置により送られたＤ２Ｄ  ＳＲＳ送信に基づいて、チャネル状態情報（ＣＳＩ）を判別し、同ＣＳＩを基地局に報告する。報告されたＣＳＩに基づいて、スケジューラ、制御部、及び／又は基地局が、マクロセル通信リソースを無線通信（ＵＥ）装置に割り当てることにより、装置間（Ｄ２Ｄ）通信をスケジューリングする。
【００５６】
イベント４０２及び４０４では、したがって、各無線通信装置は、他の無線通信装置により送信されたＳＲＳ信号を受信し、他の装置を検出及び識別する。イベント４０６では、第１の無線通信装置は、ＲＡＣＨを基地局に送信し、ネットワークに対して、接続又は再接続する。基地局は、イベント４０７において、ＲＡ応答を第１の無線通信装置に対して送信する。第１の無線通信装置は、イベント４０８において、Ｄ２Ｄ呼開始メッセージを送信する。Ｄ２Ｄ呼開始メッセージは、幾つかの状況では、ＲＡＣＨで同時に送ることが可能であり、Ｄ２Ｄ呼開始メッセージを受信したことに応答して、イベント４１０において、基地局は、ページングメッセージを第２の無線通信装置に送る。第２の無線通信装置は、イベント４１２において、ページングメッセージに対して、ページング応答で応答する。基地局は、イベント４１４において、Ｄ２Ｄ開始ＡＣＫを第１の無線通信装置に対して送信する。Ｄ２Ｄ開始ＡＣＫは、第２の無線通信がページングされたことを少なくとも示す。ＡＣＫは、また、第２の無線通信装置がページングを確認したことを示し、場合によっては、Ｄ２Ｄ開始ＡＣＫは、Ｄ２Ｄ通信が基地局／コアネットワークにより承認されたこと示すことも可能である。他の実施では、Ｄ２Ｄ開始ＡＣＫは、他の時に送られてもよい。例えば、ＡＣＫは、第２の無線通信装置がページングされる前に送られてもよい。他の例では、ＡＣＶは、第２の無線通信装置がページングされてから、第２の無線通信装置がページングに応答するまでに伝送されてもよい。
【００５７】
イベント４１６において、第１の無線通信装置は、Ｄ２Ｄ通信リンク情報１３２を基地局に送信する。上記のように、Ｄ２Ｄ通信リンク情報は、ＰＵＣＣＨ又はＰＵＳＣＨを介して送られてもよい。基地局は、Ｄ２Ｄ通信リンク情報を受信し、同情報を制御部内のスケジューラに転送する。情報に基づいて、制御部は、Ｄ２Ｄ通信リンクに使用される適当な定義済みのマクロセル通信リソースを判別する。イベント４１８において、Ｄ２Ｄリンク確立情報１３４は、第１の無線通信装置に送られる。Ｄ２Ｄリンク確立情報は、Ｄ２Ｄ信号を第２の無線通信装置に送信するために第１の無線通信装置が使用するであろう通信リソースを示す。イベント４２０では、基地局は、Ｄ２Ｄリンク確立情報１３４を第２の無線通信装置に送信する。第２の無線通信装置に送られたＤ２Ｄリンク確立情報は、データを第２の無線表示装置に送信するために第１の無線通信装置により使用されるであろうＤ２Ｄ通信リソースを示す。各無線通信装置に送られたＤ２Ｄリンク確立情報はまた、他のパラメータ又は情報を含んでもよい。例えば、第２の無線通信装置から第１の無線通信装置へ肯定応答メッセージを送信するための通信リソースもまた含まれていてもよい。他の情報は、送信電力レベルを含んでもよい。幾つかの状況では、Ｄ２Ｄリンク確立情報が無線通信装置のうち１つに送られ、その無線通信装置が情報をＤ２Ｄリンクを介して他の無線通信装置に中継する。イベント４２２において、第１の無線通信装置は、データをＤ２Ｄ通信リンクを介して第２の無線通信装置に送信する。更に、第１の無線通信装置は、参照信号を送信してもよい。データは、Ｄ２Ｄデータチャネル（Ｄ２ＤＤＣＨ）を介して送信される。Ｄ２Ｄ信号を送信する適当な技術の一例は、参照された国際出願第ＵＳ２０１２／０６４７１１号明細書において検討されている。イベント４２４では、第２の無線通信装置は、肯定応答（ＡＣＫ）メッセージを第１の無線通信装置に送信する。
【００５８】
明らかに、本発明の他の実施形態及び変更例は、これらの教示を参酌して、当業者に容易に創作されるだろう。上述の記載は、例示的であり制限的なものではない。本発明は、上記の明細書及び添付の図面に基づく実施形態及び変更例の全てを含む、以下の請求項によりのみ限定される。したがって、本発明の範囲は、上記の記載を参照して決定されるのではなく、均等物の全範囲と共に添付される請求項を参照して決定されるべきである。
【図１Ａ】
2015520562.tif 000003
【図１Ｂ】
2015520562.tif 000004
【図２】
2015520562.tif 000005
【図３】
2015520562.tif 000006
【図４】
2015520562.tif 000007
【国際調査報告】
2015520562.tif 000008
2015520562.tif 000009
2015520562.tif 000010